(57)【要約】【課題】発射機構に対するガイドレールの位置精度を向上させる。【解決手段】遊技機本体４の遊技部２０の背後に遊技盤６を取り付け、開口４４により遊技面５の遊技領域を前方に露呈させる。遊技機本体４の下部左側の発射機構取付け部２１に、遊技球９を発射する発射機構２２を取り付ける。遊技部２０内には、発射機構２２から発射された遊技球が通過する発射通路部３７を一体に設ける。遊技面５の前方で、発射通路部３７に打ち出された遊技球を遊技面５の上部まで案内する外レール３４と、この外レール３４とともに遊技領域と発射通路部３７とを区画する内レール３５とを開口４４に沿って遊技基本体４に取り付ける。【選択図】図３
2009055981.tif 000002
【特許請求の範囲】
【請求項１】
遊技面を有する遊技盤と、
前記遊技面が前方を向くように前記遊技盤が背面側から取り付けられ、前記遊技面を露呈させる開口が設けられた遊技機本体と、
前記遊技機本体に取り付けられ、前記遊技面に向けて遊技球を発射する発射手段と、
前記発射手段から発射された遊技球を前記遊技面の上部に向けて案内するとともに、前記遊技面の前方で前記開口に沿って遊技領域を区画するように前記遊技機本体に設けられたガイドレールとを備えたことを特徴とする弾球遊技機。
【請求項２】
前記遊技機本体は、前記発射手段から前記遊技面の上部まで前記遊技球を案内する発射通路部が一体的に設けられており、前記ガイドレールは、前記遊技領域とともに前記発射通路部を区画することを特徴とする請求項１記載の弾球遊技機。
【請求項３】
前記ガイドレールは、前記発射手段から前記遊技面の上部まで前記遊技球を案内する外レールと、前記外レールとともに前記遊技領域と前記発射通路部とを区画する内レールから構成されることを特徴とする請求項２記載の弾球遊技機。
【請求項４】
前記ガイドレールは、前記遊技機本体と別体に形成され、前記遊技機本体に取り付けられることを特徴とする請求項１〜３いずれか記載の弾球遊技機。
【発明の詳細な説明】
【技術分野】
【０００１】
本発明は、発射機構から発射された遊技球を遊技面まで案内するガイドレールを備えた弾球遊技機に関する。
【背景技術】
【０００２】
遊技面上の遊技領域に遊技球を打ち出し、遊技領域を流下する遊技球を入賞口に入賞させ、入賞の景品である賞球の払い出しを受ける弾球遊技機として、パチンコ機が知られている。図１０に示すように、従来のパチンコ機７０は、例えば、パチンコ機７０の筐体を構成する遊技機本体７１と、この遊技機本体７１の前面側に取り付けられる遊技盤７２と、この遊技盤７２の前方を視認可能に覆う前面扉７３等を備えている。
【０００３】
遊技機本体７１内には、受皿７６から供給された遊技球７７を発射する発射機構７８等が組み込まれている。発射機構７８から発射された遊技球７７は、遊技機本体７１の前面に設けられた発射通路面７１ａを滑走して、遊技盤７２の前面に設けられた遊技面７９上に打ち出される。
【０００４】
遊技面７９には、発射機構７８から発射された遊技球７７を遊技領域の上部まで案内する発射通路部８２、及びガイドレール８３が設けられている。ガイドレール８３は、遊技面７９の左下部から上部まで遊技球７７を案内する外レールと、この外レールとともに遊技面７９の所定範囲を囲んで遊技領域及び発射通路部８２を区画する内レールから構成されている。
【０００５】
従来の一般的なパチンコ機では、発射通路部は遊技面に設けられ、ガイドレールは遊技盤に取り付けられている（例えば、特許文献１参照）。また、従来の別のパチンコ機では、ガイドレールを遊技盤と別体で構成し、遊技盤及びガイドレールの交換を容易にしている（例えば、特許文献２参照）。
【特許文献１】特開２０００−１４０２３８号公報
【特許文献２】特開２００３−２６０２３６号公報
【発明の開示】
【発明が解決しようとする課題】
【０００６】
遊技球７７が遊技面７９に発射される際の発射精度（発射方向、飛距離等）は、発射機構７８に対する発射通路部８２及びガイドレール８３の位置精度に影響される。これは、遊技球７７の挙動が発射通路部８２及びガイドレール８３に当たる位置によって変化するためである。
【０００７】
しかし、発射機構７８に対する発射通路部８２の位置精度は、発射機構７８と遊技機本体７１、遊技機本体７１と遊技盤７２との間の位置精度に依存する。また、発射機構７８に対するガイドレール８３の位置精度は、発射機構７８と遊技機本体７１、遊技機本体７１と遊技盤７２、遊技盤７２とガイドレール８３等、多数の部品間の位置精度に影響される。そのため、位置精度の向上が難しく、同じ機種であっても発射精度にバラツキが生じるという問題があった。
【０００８】
また、発射通路面７１ａに対する発射通路部８２の位置が遊技盤７２の厚み方向でずれていると、遊技球７７の発射精度が低下する。そのため、従来のパチンコ機７０では、遊技機本体７１の遊技盤収納部７１ｂを遊技盤７２の厚みよりも深く形成し、遊技盤７２を厚み方向で位置調整できるようにしている。しかし、遊技盤７２の位置調整は手間がかかり、高い精度を確保することが難しいという問題がある。また、遊技盤７２が厚み方向で位置調整されると、遊技面７９と前面扉７３のガラス板８５との間隔が一定でなくなり、適正な間隔よりも広くなることがあった。
【０００９】
本発明は、上記問題を解決するため、遊技盤の厚み方向での位置調整を行なわずに、発射機構に対するガイドレール及び発射通路部の位置精度を向上することができる弾球遊技機を提供する。
【課題を解決するための手段】
【００１０】
上記課題を解決するために本発明の弾球遊技機は、遊技面を有する遊技盤と、遊技面が前方を向くように遊技盤が背面側から取り付けられ、遊技面を露呈させる開口が設けられた遊技機本体と、この遊技機本体に取り付けられて遊技面に向けて遊技球を発射する発射手段と、発射手段から発射された遊技球を遊技盤に向けて案内するとともに、開口を囲んで遊技領域を形成するように遊技機本体に設けられたガイドレールから構成されている。
【００１１】
また、遊技機本体に、発射手段から遊技面の上部まで遊技球を案内する発射通路部を一体的に設け、ガイドレールにより遊技領域とともに発射通路部を区画している。
【００１２】
更に、ガイドレールは、発射手段から遊技面まで遊技球を案内する外レールと、外レールとともに遊技領域及び発射通路部を区画する内レールから構成している。
【００１３】
また、ガイドレールを遊技機本体と別体に形成し、遊技機本体に取り付けるようにしたものである。
【発明の効果】
【００１４】
本発明の弾球遊技機によれば、発射機構に対するガイドレールの位置精度は、発射機構と遊技機本体、遊技機本体とガイドレールという従来よりも少ない部品間の位置精度にしか影響されない。これにより、発射機構に対するガイドレールの位置精度、及び遊技球の発射精度が向上する。
【００１５】
また、発射通路部を遊技機本体と一体的に設けたので、発射通路部と、発射機構の発射通路面とを確実に面一にすることができる。更に、遊技盤を厚み方向で位置調整する必要がないので、弾球遊技機の製造工程から遊技盤を位置調整するための工数を削減することができる。更に、遊技面と前面扉のガラス板との間隔を適正、かつ一定にすることができる。
【００１６】
また、ガイドレールを外レールと内レールから構成したので、ガイドレールの形成も容易になる。
【００１７】
更に、ガイドレールを遊技機本体と別体に形成し、遊技機本体に取り付けるようにしたので、遊技機本体の成形性は従来のものと同程度となり、コストアップも発生しない。また、ガイドレールを交換すれば、リサイクル性の向上、装飾面でのイメージ変更を図ることができる。
【発明を実施するための最良の形態】
【００１８】
図１に示す本発明のパチンコ機２は、外周に設けられた固定枠３によって遊技店の島設備に固定される遊技機本体４と、遊技盤６とを備えている。遊技盤６は、前面に遊技球９が流下する遊技面５を有し、この遊技面５が前方を向くように遊技機本体４に取り付けられている。また、遊技機本体４の前方には、遊技面５の前方を覆う前面扉７と、その下方に配置される受皿ユニット８が取り付けられている。
【００１９】
前面扉７は、遊技機本体４の左側端部に軸支されており、遊技盤６の前方を覆う閉じ位置と、図２に示すように遊技盤６の前方を開放する開き位置の間で開閉自在とされている。前面扉７の中央には、閉じられている状態で遊技面５を視認可能にする開口７ａが設けられている。この開口７ａは、２枚のガラス板１１，１２によって裏側から遮蔽されている。
【００２０】
受皿ユニット８は、前面扉７と同様に遊技機本体４の左側端部に軸支されて開閉自在とされた下部扉１５とを備えている。下部扉１５の前面には、遊技球９の発射時に操作される操作ハンドル１６と、賞球として排出された遊技球９を収容する受皿１７が設けられている。
【００２１】
遊技機本体４は、プラスチックによって矩形の略箱状に形成されており、パチンコ機２の筐体を構成している。遊技機本体４の上部には、遊技面５が配置された枠状の遊技部２０が設けられている。また、遊技機本体４の左下部に設けられた枠状の発射機構取付け部２１には、遊技面５の上部に向けて遊技球９を発射する発射機構（発射手段）２２が取り付けられている。発射機構取付け部２１には、発射された遊技球９を遊技部２０に案内する発射通路２３が設けられている。
【００２２】
遊技面５には、センター役物と呼ばれる構造物２６と、通過チャッカー２７，始動チャッカー２８，入賞チャッカー２９，アタッカー３０等の遊技球９が入賞する入賞装置と、これらの間に適宜配置された釘等の役物が設けられている。また、遊技面５の下部には、入賞しなかった遊技球９を回収する回収口３１が設けられている。なお、遊技面５上の各構造物については周知なので、詳しい説明は省略する。また、図面の煩雑化を避けるため釘は図示していない。
【００２３】
遊技面５の前方外周には、円弧状の外レール３４と内レール３５からなるガイドレール３６が設けられている。外レール３４と内レール３５の間には、発射機構２２によって発射通路２３から発射された遊技球９を遊技面５の上部まで案内する発射通路部３７が設けられている。外レール３４は、発射通路２３の近傍から遊技面５の上部まで円弧状に配設されており、発射機構２２から発射された遊技球９を遊技面５の上部に向けて案内する。内レール３５は、外レール３４とともに遊技面５を取り囲み、遊技が行なわれる遊技領域と発射通路部３７とを画定している。
【００２４】
図３に示すように、遊技盤６は、遊技機本体４の背面に取り付けられ、ガイドレール３６及び発射通路部３７は、遊技機本体４に設けられている。遊技部２０には、背面側に取り付けられた遊技盤６の遊技面５の外周を覆う遮蔽板４３と、遊技面５の役物が設けられた中央部分を前方に露呈させる略円形の開口４４とが設けられている。
【００２５】
遊技盤６は、矩形の板からなり、その前面に設けられた遊技面５には、上述した各種役物２６〜３０が取り付けられている。また、遊技盤６の背面には、遊技を制御するメイン基板３９と、遊技中の演出を制御するサブ基板４０が取り付けられている。
【００２６】
遊技盤６の四隅には、長手方向が横向きに配置された長孔４７が設けられている。また、詳しくは図示しないが、遊技機本体４の背面で長孔４７に対応する位置には、背後に向けて突出された複数のラッチが設けられている。このラッチは、各長孔４７に挿入されて遊技盤６の背面から突出され、長孔４７に交差するように回動されることで遊技盤６を保持する。
【００２７】
遊技機本体４の背面には、遊技機本体４の左側端部の上下部にそれぞれ軸支されて開閉自在とされた上裏セットパネル５１、及び下裏セットパネル５３が設けられている。上裏セットパネル５１には、島設備から供給された遊技球９を収容する収容タンク５０が設けられている。また、下裏セットパネル５３には、電源回路５２等が設けられている。
【００２８】
上裏セットパネル５１及び下裏セットパネル５３は、閉じられたときに遊技盤６の背面の上下部分に重なり、遊技機本体４に設けられたラッチに係止される。これにより、遊技盤６にアクセスする際に上裏セットパネル５１及び下裏セットパネル５３の開放が必要になるので、不正アクセスを防止することができる。
【００２９】
発射通路部３７は、遮蔽板４３の前面に設けられている。図４に示すように、発射通路２３と発射通路部３７は、ともに遊技機本体４に一体的に設けられるので、発射通路２３の発射通路面２３ａと発射通路部３７は確実に面一となる。
【００３０】
図５に示すように、ガイドレール３６は、遊技機本体４と別体で形成されており、開口４４に沿って遊技機本体４に取り付けられている。図６に示すように、内レール３５はプラスチックで形成されており、例えば、開口４４の内側に接着剤で接着されている。外レール３４は、例えば金属薄板で形成されており、その下端部３４ａ及び中間部３４ｂは、一体に設けられた屈曲片３４ｃがネジ５６によって遊技機本体４に固定されている。また、外レール３４の上端部３４ｄは、例えば、内レール３５に形成された溝に嵌合されている。
【００３１】
次に、上記実施形態の作用について説明する。受皿１７に供給された遊技球９は、受皿ユニット８内に設けられた供給路を通って発射機構２２に供給される。操作ハンドル１６を操作すると発射機構２２が作動し、遊技球９が発射される。
【００３２】
発射機構２２から発射された遊技球９は、発射通路２３を通って発射通路部３７に打ち出される。発射通路部３７に発射された遊技球９は、外レール３４の内側の面にぶつかり、この面に沿って遊技面５の上部に向かう。そして、遊技面５の遊技領域を流下して、入賞または排出される。
【００３３】
本発明のパチンコ機２は、発射通路面２３ａと発射通路部３７とが面一に形成され、かつ発射機構２２とガイドレール３６とがともに遊技機本体４に取り付けられているので、発射機構２２に対するガイドレール３６及び発射通路部３７の位置精度は、ガイドレールを遊技盤に取り付け、発射通路部を遊技面に設けていた従来のパチンコ機に比べて格段に向上する。これにより、遊技球９が遊技面５上に発射される際の発射精度（発射方向、飛距離等）が向上し、台間のバラツキが小さくなる。また、遊技盤６を厚み方向で位置調整する必要がないので、パチンコ機２の製造工程が簡略化し、遊技面５とガラス板１２との間隔を一定にすることができる。
【００３４】
なお、遊技球９は発射通路部３７を滑走して遊技面５の前に打ち出されるので、図６に示すように、発射通路部３７の出口部分と遊技面５との間に多少の段差があっても遊技球９の発射に影響はない。しかし、遊技球９をよりスムースに発射するため、図７に示すように、遊技面５の開口４４に対応する部分を発射通路部３７の段差の分だけ前方に突出させ、この突出部分５ａを開口４４内に挿入して、発射通路部３７と遊技面５とを面一にしてもよい。この場合、内レール３５は、発射通路部３７の前面に取り付けるのが好ましい。
【００３５】
また、図８に示すように、遊技盤６を開口４４内に挿入可能な形状とし、発射通路部３７と遊技面５とを面一にしてもよい。この場合には、遊技盤６の面積が小さくなるので、コスト削減が図れる。また、図９に示すように、発射通路部３７の出口部分にスロープ６０を形成し、発射通路部３７と遊技面５との間で遊技球９を橋渡ししてもよい。
【００３６】
また、上記各実施形態では、ガイドレール３６を遊技機本体４の前面側から取り付けたが、背面側から取り付けてもよい。また、外レール３４及び内レール３５の固定方法は、ネジや接着剤に限定されず、釘、爪による係合等、種々の固定方法を用いることができる。更に、外レール３４と内レール３５を遊技機本体４に取り付けたが、発射機構２２に対する位置精度がシビアな外レール３４を遊技機本体４に取り付け、内レール３５を遊技盤６に取り付けてもよい。
【００３７】
また、内レールを交換自在に取り付けてもよい。内レールは、遊技球のガイドだけでなく装飾部材としての機能も有しているため、この内レールを交換可能にすることで、リサイクル性の向上、装飾面でのイメージ変更を図ることができる。
【図面の簡単な説明】
【００３８】
【図１】本発明を用いたパチンコ機の構成を示す外観斜視図である。
【図２】前面扉を開放した状態を示すパチンコ機の外観斜視図である。
【図３】遊技機本体から遊技盤を取り外した状態を示すパチンコ機の外観斜視図である。
【図４】パチンコ機の発射通路部近傍を模式的に表した側面側断面図である。
【図５】遊技機本体からガイドレールを取り外した状態を示すパチンコ機の外観斜視図である。
【図６】パチンコ機の遊技盤中央付近の水平断面図である。
【図７】発射通路部と遊技面とを面一にした実施形態を示すパチンコ機の遊技盤中央付近の水平断面図である。
【図８】遊技機本体の開口内に遊技盤を挿入した実施形態を示すパチンコ機の遊技盤中央付近の水平断面図である。
【図９】発射通路部の出口部分にスロープを設けた実施形態を示すパチンコ機の遊技盤中央付近の水平断面図である。
【図１０】従来のパチンコ機の構成を模式的に示す側面側断面図である。
【符号の説明】
【００３９】
２  パチンコ機
４  遊技機本体
５  遊技面
６  遊技盤
７  前面扉
９  遊技球
２０  遊技部
２１  発射機構取付け部
２２  発射機構
２３  発射通路
２３ａ  発射通路面
３４  外レール
３５  内レール
３６  ガイドレール
３７  発射通路部
４４  開口
【図１】
2009055981.tif 000003
【図２】
2009055981.tif 000004
【図３】
2009055981.tif 000005
【図４】
2009055981.tif 000006
【図５】
2009055981.tif 000007
【図６】
2009055981.tif 000008
【図７】
2009055981.tif 000009
【図８】
2009055981.tif 000010
【図９】
2009055981.tif 000011
【図１０】
2009055981.tif 000012